(57)【要約】【課題】  ＡＤＦを備えた画像読取装置において、複数種類が混在した原稿をコピーする際に、原稿の種類によって、給紙トレイに適切な種類のコピー用紙を置く手間がかかる。また、複数種類が混在した原稿をアプリケーションに出力して、そのアプリケーションで保存を行うときに、原稿の種類が変わるたびに、画像フォーマットを変えて保存する手間がかかる。【解決手段】  原稿の種類を判別する機能を有するＡＤＦを備えた画像読取装置２おいて、普通紙とインクジェット紙など複数種類が混在した原稿を読み取ってスキャン画像を出力する際に、同じ種類の原稿のスキャン画像を続けて出力する。原稿の種類を判別して、判別された原稿の種類とスキャン画像を対応付けて保存しておき、全ての原稿を読み終えたら、スキャン画像を並び替え、同じ種類の原稿のスキャン画像を続けて出力する。【選択図】  図３
2008092341.tif 000002
【特許請求の範囲】
【請求項１】
原稿の種類を判別することができるＡＤＦ（自動原稿給紙装置）を具備した画像読取装置において、原稿の種類を判別する原稿種類判別手段と、ＡＤＦを利用して原稿を順次読み取る読取手段と、前記原稿種類判別手段により判別された原稿の種類と、前記読取手段で読み取られたスキャン画像を対応付けて記憶する記憶手段と、前記記憶手段で全ての原稿のスキャン画像を記憶した後に、それらスキャン画像を並び替えて同じ種類の原稿のスキャン画像を続けて出力する出力手段とを備えたことを特徴とする画像読取装置。
【請求項２】
前記記憶手段では、各原稿種類の枚数を数え、それぞれの総枚数を記憶する機能を有する請求項１記載の画像読取装置。
【請求項３】
前記記憶手段で全てのスキャン画像を記憶した後、前記原稿種類判別手段により判別された原稿の種類と各原稿種類の枚数をユーザーに提示し、提示された原稿の種類からユーザーが出力順序を設定する機能を有する請求項１記載の画像読取装置。
【請求項４】
前記出力手段では、同じ種類の原稿のスキャン画像を続けて出力し、原稿の種類が変わったときに、出力されるスキャン画像の種類が変わることをユーザーに知らせる機能を有する請求項１記載の画像読取装置。
【発明の詳細な説明】
【技術分野】
【０００１】
本発明は原稿の種類を判別する機能を持つＡＤＦを利用して原稿を読み取る際に、原稿の種類を判別して同じ種類の原稿のスキャン画像を続けて出力するスキャナドライバに関する。
【背景技術】
【０００２】
本発明は、原稿の種類とスキャン画像を対応付けて記憶しておき、同じ種類の原稿のスキャン画像を続けて出力することにより、スキャン画像の印刷及び保存の際にユーザーの手間を軽減することを目的にしている。このように、原稿の種類によりスキャン画像の出力を変える方法は、特許文献１の画像読取装置においても提案されている。特許文献１の画像読取装置は、原稿の地肌色をスキャン画像に付加し、そのスキャン画像を色情報データごとに記憶領域を区分けして記憶する。これにより、複数種類が混在した原稿を一度に読み取る際に、ユーザーが原稿種類により原稿色を変えることで、そのスキャン画像の分類を容易にしている。
【０００３】
本発明は、普通紙やインクジェット紙といった原稿の種類により、出力順序を変更する。それに対し、特許文献２の画像処理装置は、サイズの異なる原稿が混在した原稿を順次読み取る場合、サイズを考慮して出力順序を変更する。例えば、「Ａ４」と「Ａ３」が混在している原稿を順次読み取る場合に、一度、読み取ったスキャン画像を全て記憶しておき、「Ａ４」のスキャン画像をまとめて出力した後、「Ａ３」のスキャン画像をまとめて出力することで、同じサイズの原稿を一つのページにレイアウトして出力する。
【特許文献１】特開平１０―２７２３８号公報
【特許文献２】特開平１０―１１７２７３号公報
【発明の開示】
【発明が解決しようとする課題】
【０００４】
特許文献１は、スキャン画像を分類するために、ユーザーが原稿種類により原稿色を変える必要があるため、原稿をそのまま読み取ることができないという問題がある。それに対して、本発明は原稿に手を加えずに原稿の種類を判別することができる。また、特許文献２は、原稿のサイズに着目して出力順序を変更するのに対し、本発明は、原稿の種類に着目して出力順序を変更する。このように、本発明と背景技術は異なるものであり、本発明によって解決される課題を以下に２つ述べる。
【０００５】
まず、１点目の課題は、給紙トレイが一つのコピー機において、インクジェット紙と普通紙などが混在している原稿を、ＡＤＦ（自動原稿給紙装置）を利用して読み取って適切なコピー用紙にコピーする場合、ＡＤＦを利用して読み込まれる原稿の種類が変わる度に、適切な種類のコピー用紙を給紙トレイに置く必要があり手間がかかるという課題である。ここで、適切な種類のコピー用紙とは、原稿がインクジェット紙ならインクジェット紙、原稿が普通紙なら普通紙というように、原稿がきれいに印字されるコピー用紙を指す。
【０００６】
次に、２点目の課題であるが、その課題の前提として、インクジェット紙と普通紙などが混在している原稿を、ＡＤＦを利用してスキャンするとき、インクジェット紙は絵や写真のデータであることが多いことから、ＪＰＥＧ形式などの画像フォーマットで保存し、普通紙は文字データであることが多いことからＰＤＦ形式などの文字を保存するのに適したフォーマットで保存したいことが考えられる。しかしながら、従来のスキャナドライバでは、インクジェット紙と普通紙が混在している場合には、インクジェット紙と普通紙のスキャン画像が混在した順番でアプリケーションに送られてくるので、原稿の種類が変わる度に、アプリケーションの保存ダイアログでフォーマットを変更して保存する必要がある。この作業はユーザーにとって手間がかかるものであり、これが２点目の課題となる。
【課題を解決するための手段】
【０００７】
上記課題を解決するために、本発明は、原稿の種類を判別することができるＡＤＦ（自動原稿給紙装置）を具備した画像読取装置において、原稿の種類を判別する原稿種類判別手段と、ＡＤＦを利用して原稿を順次読み取る読取手段と、前記原稿種類判別手段により判別された原稿の種類と、前記読取手段で読み取られたスキャン画像を対応付けて記憶する記憶手段と、前記記憶手段で全ての原稿のスキャン画像を記憶した後に、それらスキャン画像を並び替えて同じ種類の原稿のスキャン画像を続けて出力する出力手段とを備えたことを特徴とする。前記記憶手段では、各原稿種類の枚数を数え、それぞれの総枚数を記憶する機能を有することを特徴とする。また、前記記憶手段で全てのスキャン画像を記憶した後、前記原稿種類判別手段により判別された原稿の種類と各原稿種類の枚数をダイアログなどを利用してユーザーに提示し、提示された原稿の種類からユーザーが出力順序を設定する機能を有することを特徴とする。さらに、前記出力手段では、同じ種類の原稿のスキャン画像を続けて出力し、原稿の種類が変わったときに、ダイアログなどを利用して、出力されるスキャン画像の種類が変わることをユーザーに知らせる機能を有することを特徴とする。
【発明の効果】
【０００８】
本発明によれば、ＡＤＦ（自動原稿給紙装置）を備えた画像読取装置において、複数種類が混在した原稿を適切なコピー用紙にコピーする際に、順次読み取られる原稿の種類によって、給紙トレイに適切な種類のコピー用紙を置く手間を軽減することができる。また、複数種類が混在した原稿をアプリケーションに出力して、そのアプリケーションで保存を行うときに、原稿の種類が変わるたびに、画像フォーマットを変えて保存していた手間を軽減することができる。
【発明を実施するための最良の形態】
【０００９】
以下、図面を参照して本発明の実施の形態を詳細に説明する。
【００１０】
図１は、本実施例のハードウェア構成を示す図である。画像読取装置２は、両面同時読取の機能を持たないＡＤＦ（自動原稿給紙装置）を具備した画像読取装置である。また、ホストコンピュータ１はＣＰＵ３、メモリ４、ハードディスクなどの補助記憶装置５、入力装置としてキーボード６とマウス７などのポインティングデバイスを備えている。
【００１１】
図２は、本発明をスキャナドライバに実装したときの、システムの概要を示す図である。ホストコンピュータ１には、スキャナ等の画像読取装置２を制御するために、スキャナドライバ１１が補助記憶装置５にインストールされている。このように、スキャナドライバ１１がインストールされていれば、アプリケーション１０はスキャナドライバ１１を呼び出し、画像読取装置２からスキャン画像を読み取ることができる。本発明では、スキャナドライバ１１に、原稿を順次読み取る読取手段１２、原稿の種類を判別する原稿種類判別手段１３、読取手段１２で得られた原稿の全ページのスキャン画像と、原稿種類判別手段１３で判別された原稿の種類を対応付けて補助記憶装置５に記憶する記憶手段１４、読取手段１２で得られたスキャン画像を原稿種類毎に並び替えて出力する出力手段１５を備えている。
【実施例１】
【００１２】
以下、本発明における実施例を、図３及び図４を用いて説明する。図３は実施例１のフローチャート、図４は実施例１及び実施例２の概要を図示したものである。実施例１では、本発明のスキャナドライバの出力先をプリンタドライバとし、コピーの目的で本発明を使用した場合の例を示す。
【００１３】
まず、複数種類が混在した原稿を、ＡＤＦの原稿台に載置する（Ｓ１０１）。本実施例では、図４に示したように、原稿の種類を、普通紙とインクジェット紙の２種類とし、普通紙が６枚、インクジェット紙が４枚の場合について説明する。ユーザーはスキャナドライバを起動すると、図５に示した読み取りモード選択のダイアログが表示される。図５に示したダイアログにおいて、通常読み取りモードは、読み取った原稿の順にスキャン画像をアプリケーションに出力するモード、分類読み取りモードは、同じ種類の原稿のスキャン画像を続けてアプリケーションに出力するモード、通常コピーモードは、読み取った原稿の順にスキャン画像を印字するモード、分類コピーモードは、同じ種類の原稿のスキャン画像を続けて印字するモードである。実施例１では、これらモードのうち、分類コピーモードを選択する。ユーザーが分類コピーモードを選択すると、ＡＤＦの原稿台に載置された原稿は、一枚ずつ、原稿種類判別手段１３により、原稿の種類が判別され（Ｓ１０２）、その後、順次読み取られる（Ｓ１０３）。このとき、スキャナドライバは、原稿種類判別手段１３により判別された原稿の種類と、スキャン画像を対応付けて補助記憶装置５に記憶しておく（Ｓ１０４）。また、スキャナドライバは、各原稿種類の総枚数も記憶しておく。
【００１４】
このようにして、全ての原稿を読み終えると（Ｓ１０５のＹＥＳ）、スキャナドライバは図６に示すダイアログをホストコンピュータ１のディスプレイに表示し、原稿種類判別手段１３で検知した原稿の種類とその枚数、及び、どの種類の原稿から順にコピーをするのかをユーザーに提示し（Ｓ１０６）、それを基にユーザーは出力の順番を決定する（Ｓ１０７）。本説明では、図６に示したように、普通紙を1番目にまとめてコピーして、インクジェット紙を２番目にまとめてコピーするように、ユーザーがダイアログで設定したと想定する。
【００１５】
ユーザーが図６に示したダイアログのＯＫボタンを押した後、スキャナドライバが、図７に示すダイアログを出し、給紙トレイに普通紙を６枚載置するように、ユーザーに伝える（Ｓ１０８）。ユーザーは、普通紙を６枚載置した後（Ｓ１０９）、図７に示すダイアログのＯＫボタンを押すと、載置した普通紙にコピーが行われる（Ｓ１１０）。このとき、スキャナドライバは記憶しているスキャン画像のうち、原稿が普通紙であるスキャン画像をプリンタドライバに出力して印刷を行う。普通紙のコピーが全て終了したら、スキャナドライバは図８に示すダイアログを出し、給紙トレイにインクジェット紙を４枚載置するように、ユーザーに伝える。ユーザーはインクジェット紙を４枚載置した後、図８に示したダイアログのＯＫボタンを押すと、スキャナドライバは原稿がインクジェット紙であるスキャン画像をプリンタドライバに出力して、インクジェット紙にコピーが開始される。このようにして、全てのスキャン画像の出力が終ると（Ｓ１１１）、普通紙の原稿は普通紙にコピーされ、インクジェット紙の原稿はインクジェット紙にコピーされる。
【００１６】
従来では、様々な種類の原稿が混在している原稿を、適切な用紙にコピーする場合には、読み取っている原稿の種類が変わるたびに、適切なコピー用紙を給紙トレイに置き換える必要があり、それが手間となっていた。実施例１では、コピー用紙を載置した回数が２回であったように、本発明では、同じ種類の原稿が連続してコピーされるため、ユーザーがコピー用紙を入れ替える手間を軽減することが出来る。
【実施例２】
【００１７】
実施例１では、本発明のスキャナドライバの出力先をプリンタドライバとし、コピーを目的に本発明を利用している。それに対し、実施例２では、出力先をアプリケーションとした場合について説明する。尚、図５に示した読み取りモードの選択ダイアログにおいて、分類読み取りモードは、実施例２を実現するためのモードである。ここでも、実施例１と同様に、普通紙とインクジェット紙が混在した原稿を例に挙げて説明する。
【００１８】
従来から、普通紙は文字データであることが多いことから、ＰＤＦ形式などの文字を保存するのに適したフォーマットで保存し、インクジェット紙は絵や写真のデータが多いことから、ＪＰＥＧ形式などの画像フォーマットで保存することが多い。普通紙とインクジェット紙が混在した原稿では、従来のスキャナドライバは、読み込んだ順でアプリケーションにスキャン画像を送ることから、ユーザーがその都度、画像フォーマットを決定して保存していた。そのため、複数種類の原稿がまとまりなく別々になっている場合に、ユーザーが適切な画像フォーマットで保存するのに手間がかかっていた。
【００１９】
それに対して、本発明では、同じ種類の原稿のスキャン画像がまとめて送られてくるため、最初に送られてきたスキャン画像が文字データでありＰＤＦ形式で保存した場合には、２枚目のスキャン画像も文字データでありＰＤＦ形式で保存することが多くなる。現在、アプリケーションでは、前回保存した画像フォーマットを、次に保存する際のデフォルトの画像フォーマットに設定していることが多い。そのため、２枚目の画像をＰＤＦ形式で保存する際には、アプリケーションが提供するスキャン画像の保存ダイアログにおいて、既にＰＤＦ形式が選択されているため、画像フォーマットを変更して選択する必要が無い。このようにした場合、出力されるスキャン画像の種類が変わった場合には、ユーザーがスキャン画像から目視で判断して、画像フォーマットを決定して保存する必要がある。そこで、この手間を省くために、本発明では、スキャン画像の種類が変わった時には、スキャナドライバがアプリケーションにその内容を伝え、伝えられたスキャン画像の種類によりアプリケーションがデフォルトの画像フォーマットをユーザーに提示してもよい。このように、本発明のスキャナドライバを利用して、スキャン画像をアプリケーションに出力した場合に、アプリケーションで画像フォーマットを選択して保存する手間を軽減することができる。
【００２０】
以上説明したように、実施例１及び実施例２によれば、複数種類が混在した原稿を適切な用紙にコピーする場合、あるいはアプリケーションに出力して適切な画像フォーマットで保存する場合に、従来の手間を軽減することが出来る。
【００２１】
上記各実施例では、スキャン画像を、ホストコンピュータ１に備えられた補助記憶装置５に記憶したが、補助記憶装置５はホストコンピュータ１に具備されていることに限定したものではない。例えば、補助記憶装置５が画像読取装置２に具備されていれば、そこにスキャン画像を記憶しても良い。さらに、上記各実施例では、スキャン画像を補助記憶装置５に記憶したが、メモリ４などの主記憶装置に記憶しても良い。
【００２２】
上記実施例では、図５、図６、図７や図８に表示されるダイアログをホストコンピュータ１のディスプレイに表示していたが、画像読取装置２に具備されたパネルに表示しても良い。
【００２３】
以上の説明から明らかなように、本発明では、ＡＤＦを備えた画像読取装置において、複数種類が混在した原稿の、コピー及びスキャン画像の保存に関して、ユーザーの手間を軽減することが可能となる。
【図面の簡単な説明】
【００２４】
【図１】本発明のハードウェア構成を示す図である。
【図２】本発明のシステム構成を示す図である。
【図３】本発明の手順を示したフローチャートである。
【図４】本発明の実施例を説明した図である。
【図５】本発明の実施例において、読み取りモードを選択するダイアログである。
【図６】本発明の実施例において、原稿の出力順序を設定するダイアログである。
【図７】本発明の実施例において、給紙トレイに普通紙をセットするようにユーザーに促すダイアログである。
【図８】本発明の実施例において、給紙トレイにインクジェット紙をセットするようにユーザーに促すダイアログである。
【符号の説明】
【００２５】
１  ホストコンピュータ
２  画像読取装置
３  ＣＰＵ
４  メモリ
５  補助記憶装置
６  キーボード
７  マウス
１０  アプリケーション
１１  スキャナドライバ
１２  読取手段
１３  原稿種類判別手段
１４  記憶手段
１５  出力手段
【図１】
2008092341.tif 000003
【図２】
2008092341.tif 000004
【図３】
2008092341.tif 000005
【図４】
2008092341.tif 000006
【図５】
2008092341.tif 000007
【図６】
2008092341.tif 000008
【図７】
2008092341.tif 000009
【図８】
2008092341.tif 000010